(57)【要約】【課題】  釘等の留付具、接着剤、または溶接などの結合手段、あるいはシム等の隙間調整具を用いることなく、単純な構成でありながら、面材の端部が保護され、かつ、面材と枠材とが隙間なく一体化され、強固に固定された壁パネルの提供。【解決手段】  仕上材を含む板状の面材と、枠材とを備えてなる壁パネルであって、前記枠材が、所定の断面形状を有する長尺材からなり、かつ、側端部と、当該側端部の一端側から延在した表縁部と、当該側端部の他端側から延在した下縁部とを備えてなり、前記側端部と前記表縁部と前記下縁部とが一体的に形成され、以って、前記枠材は凹条を形成してなり、前記下縁部が、前記面材を表側に押し上げるためのバネ機構を備え、前記面材の周縁部が前記凹条に挟み込まれてなり、前記バネ機構により、前記面材の表面が前記表縁部の裏面の外端辺と線状に当接してなる、壁パネル。【選択図】  図１
2018053607.tif 000002
【特許請求の範囲】
【請求項１】
仕上材を含む板状の面材と、枠材とを備えてなる壁パネルであって、
前記枠材が、
所定の断面形状を有する長尺材からなり、かつ
側端部と、当該側端部の一端側から延在した表縁部と、当該側端部の他端側から延在した下縁部とを備えてなり、
前記側端部と前記表縁部と前記下縁部とが一体的に形成され、以って、前記枠材は凹条を形成してなり、
前記下縁部が、前記面材を表側に押し上げるためのバネ機構を備え、
前記面材の周縁部が前記凹条に挟み込まれてなり、
前記バネ機構により、前記面材の表面が前記表縁部の裏面の外端辺と線状に当接してなる、壁パネル。
【請求項２】
前記バネ機構の面材を押し当てる部分が、表縁部の外端縁よりも内側にある、請求項１に記載の壁パネル。
【請求項３】
前記枠材の下端部が、バネ機構の外側に支持部をさらに備えてなる、請求項１または２に記載の壁パネル。
【請求項４】
前記表縁部と前記側端部とのなす角が鋭角である、請求項１〜３のいずれか一項に記載の壁パネル。
【請求項５】
前記面材が、前記仕上材の裏面側に支持体をさらに含んでなるものである、請求項１〜４のいずれか一項に記載の壁パネル。
【請求項６】
前記支持体が前記枠材の長さ方向に沿って連続的に存在する、請求項１〜５のいずれか一項に記載の壁パネル。
【請求項７】
前記仕上材が無機質板である、請求項１〜６のいずれか一項に記載の壁パネルに記載のパネル。
【発明の詳細な説明】
【技術分野】
【０００１】
本発明は、面材と枠材とを含んでなる壁パネルに関する。
【背景技術】
【０００２】
内装または外装材として陶磁器板などの面材が広く用いられている。これら面材の端部を保護し、面材の強度または意匠性を向上させるため、様々な枠材（端材、縁材または見切材と呼ばれることもある）が用いられている。面材の端部を枠材でパネル化する際、一般に、釘、ネジもしくはビス等を用いた留付け、接着剤を用いた接着、または溶接などの手段により、あるいはこれらの手段を組合せて、枠材を面材に固定または結合させている。また、枠材同士は、釘、ネジもしくはビス等の留付具を用いて固定されている。
【０００３】
また、特開２０１６−０５９７２７号公報（特許文献１）には、シート型防煙垂壁を吊り下げるための保持具が備える板ばねと押さえ面で、シート型防煙垂壁の上縁を押圧し、挟み込んで保持する機構が開示されている。一方、特許文献１によれば、シートと、これを挟んで保持する板ばねおよび押さえ面との間の隙間のない一体性までは考慮されていない。
【０００４】
上記の留付けや接着などの手段により面材の端部を枠材でパネル化する際、通常、面材の厚みにある程度近い厚みを有する枠材が選ばれているが、面材と枠材の間に隙間が生じてしまう。また、面材のサイズに合わせて枠材を設計した場合であっても、製造誤差により隙間が生じてしまうのが実情である。このような場合、生じた隙間を調整するため、例えば面材の裏側にシムを入れてパネルを安定化させるなどの試みがされている。
【０００５】
最近では、目地を少なくでき、施工の簡略化や意匠の多様化を実現可能な大型の陶磁器板が実用化され広く利用されてきている。また、軽量化された薄型で大型の陶磁器板も利用されてきている。しかし、薄型の大型陶磁器板にはビス等の留付具を打ち込むことは困難であるため、パネル自体が大型化する傾向にあった。さらに、枠材と面材の表面とを隙間なく当接させることは困難であった。
【先行技術文献】
【特許文献】
【０００６】
【特許文献１】特開２０１６−０５９７２７号公報
【発明の概要】
【発明が解決しようとする課題】
【０００７】
本発明は、釘、ネジもしくはビス等の留付具、接着剤、または溶接などの結合手段、あるいはシム等の隙間調整具を用いることなく、枠材を特定の形状からなる構造とし、その一部にバネ機構を設けることのみにより、単純な構成でありながら、面材の端部が保護され、かつ、面材と枠材とが隙間なく一体化され、強固に固定された壁パネルを提供することを目的とする。
【課題を解決するための手段】
【０００８】
そして、本発明による壁パネルは、
仕上材を含む板状の面材と、枠材とを備えてなり、
前記枠材が、
所定の断面形状を有する長尺材からなり、かつ
側端部と、当該側端部の一端側から延在した表縁部と、当該側端部の他端側から延在した下縁部とを備えてなり、
前記側端部と前記表縁部と前記下縁部とが一体的に形成され、以って、前記枠材は凹条を形成してなり、
前記下縁部が、前記面材を表側に押し上げるためのバネ機構を備え、
前記面材の周縁部が前記凹条に挟み込まれてなり、
前記バネ機構により、前記面材の表面が前記表縁部の裏面の外端辺と線状に当接してなることを特徴とする。
【図面の簡単な説明】
【０００９】
【図１】本発明による壁パネルの一つの態様を示す概略図である。
【図２】本発明による壁パネルを構成する枠材の一つの態様を示す斜視図である。
【図３】本発明による壁パネルを構成する枠材の一つの態様を示す断面図である。
【図４】本発明による壁パネルを構成する枠材の一つの態様を示す断面図である。
【図５】本発明による壁パネルを構成する枠材の一つの態様を示す断面図である。
【図６】本発明による壁パネルを構成する面材の一つの態様を示す斜視図（ａ）および断面図（ｂ）である。
【図７】面材と枠材の固定方法を説明するための概要図である。
【発明を実施するための形態】
【００１０】
壁パネル
本発明による壁パネルについて図面を参照しつつ以下説明する。図１は、本発明による壁パネルの一つの態様を示す概略図である。図２は、本発明による壁パネルを構成する枠材の一つの態様を示す斜視図である。図３〜５は、本発明による壁パネルを構成する枠材の一つの態様を示す断面図である。図６は、本発明による壁パネルを構成する面材の一つの態様を示す斜視図（ａ）および断面図（ｂ）である。図７は、面材と枠材の固定方法を説明するための概要図である。図１に示す態様によれば、本発明による壁パネル１は、仕上材を含む板状の面材２と、枠材３とを含む。
【００１１】
面材
面材２は、少なくとも板状の仕上材を含む。本発明の一つの態様によれば、面材２は仕上材からなる。つまり、面材２は仕上材単独で構成されていてよい。本発明の他の一つの態様によれば、面材２は仕上材と支持体との積層体でもよい。ここで、仕上材と支持体のサイズは同じでもよく、異なっていてもよい。また、積層体において、仕上材と支持体との接着の有無は問わない。
【００１２】
（仕上材）
仕上材としては、外装もしくは内装の壁の仕上材として通常用いられているものを制限なく利用することができる。このような仕上材の例としては、陶磁器、石材、ガラス、鋼材、セメント、漆喰、合成樹脂材、木材、紙（パルプ）、メラミン、石膏などが挙げられる。本発明において、仕上材は、例えば陶磁器、石、またはガラスから選択されてなる無機質板が好ましい。無機質板は、大型無機質板が好ましい。大型無機質板は、好ましくは、意匠が施された化粧面と裏面とを備えている。本発明の一つの態様によれば、大型無機質板の大きさは、１辺が８０ｃｍ以上であり、９０ｃｍ以上、１ｍ以上であることが好ましい。また、一辺が５ｍ以下、３ｍ以下、２ｍ以下であることが好ましい。
【００１３】
また、大型無機質板は、軽量化のため、または、後記する本発明による施工方法が、その一態様として、壁パネル１の被施工面への二重化された固定方法とすることができることから、薄型であることが好ましい。本発明の一つの態様によれば、大型無機質板は、厚さが、１０ｍｍ以下、８ｍｍ以下、６ｍｍ以下であることが好ましい。また、厚さが１ｍｍ以上、３ｍｍ以上であることが好ましい。
【００１４】
仕上材が無機質板である場合、この無機質板が、薄型や大型であれば、ビスなどによる留め付けは破損リスクが高まり、採用し難い。また、仕上材の割れを防ぎ、強度を確保するために重厚な枠材を用いると、軽量化のために薄型の無機質板を用いる意義が薄れてしまう。従って、枠材自身も軽量であらねばならず、本発明による壁パネルを構成する枠材は後述するような構造であることが重要である。本発明によれば、とりわけ仕上材が薄型で大型の陶磁器板の場合であっても、このような仕上材の端部を破損させずに容易に壁パネルを製造することができる。
【００１５】
本発明において無機質板は陶磁器板であることが特に好ましく、陶磁器板は、その表面に釉薬層を有していてもよい。釉薬の成分は特に限定されない。釉薬層の形成は、成形後に施釉し、成形体と一体的に焼成するか、または、焼成体（仮焼体）に施釉した後に焼成するか、いずれかの方法を用いてもよい。さらに、焼成の前後に乾燥工程を設けてもよい。
【００１６】
（支持体）
本発明において、面材２は、仕上材２１の裏面側に支持体２２をさらに含んでもよい。つまり、面材は、支持体２２と、支持体２２の上に設けられてなる仕上材２１とから少なくともなることが好ましい。本発明において、支持体２２は、仕上材２１の補強材として機能する部材である。面材２が仕上材２１と支持体２２と含むことにより、支持体２２の材質やサイズを選択して、枠材３の凹条で挟み込まれる面材２全体としての被押圧力（例えば、圧縮力や復元力）を所望の範囲に調整することができる。これにより、枠材３の表縁部３２と面材２の表面との間にさらに隙間が生じないようにすることが可能となる。
【００１７】
本発明において、ある種の素材、例えば薄型の素材を仕上材として利用する場合、例えば、薄物素材の裏面にこれとは別の素材を１つ以上設け、これら２つ以上の素材同士を張り合わせて、２つ以上の素材からなる面材として用いてもよい。
【００１８】
支持体２２の例としては、具体的には、木材、樹脂、陶磁器、石材、ガラス、木、鋼材、樹脂、セメント、漆喰、紙（パルプ）、メラミン、石膏が挙げられる。本発明において、仕上材と支持体とは異なる材質、物性の材料を組み合わせることが好ましい。支持体２２は１つの素材からなる１層であってもよく、また２つ以上の素材からなる積層体であってもよい。例えば、仕上材２１が陶磁器板等の硬材である場合、支持体２２として軟材を用いることができる。また、仕上材２１が硬材であり、支持体２２も硬材である場合、仕上材２１と支持体２２の間に他の支持体２２として軟材をさらに設けることができる。支持体２２の厚みは、壁パネル１の用途もしくは機能、または仕上材２１の材質やサイズ等に応じて適宜決定されてよい。支持体２２の厚みは、１０ｍｍ以下、８ｍｍ以下、６ｍｍ以下であることが好ましく、１ｍｍ以上、３ｍｍ以上であることが好ましい。本発明において、支持体２２の厚みとは、支持体２２自体の厚み、つまり外力等により圧縮など変形されていない状態での厚みを意味する。
【００１９】
本発明による壁パネルによれば、２つ以上の素材からなる面材であっても、素材同士の固定力を確保しながら、２つ以上の素材からなる面材の周縁部を保護し、かつ２つ以上の素材からなる面材と枠材３とが隙間なく安定して固定された壁パネル１を容易に製造することができる。
【００２０】
本発明の好ましい態様によれば、支持体２２は枠材３の長さ方向に沿って連続的に存在する。枠材２に沿って連続的に存在するとは、支持体が、枠材の長さ方向の長さよりも短い断片でも良いが、仕上材２１の裏面に、断続的、すなわち間隔を開けて存在しておらず、連続的に存在していることを意味する。面材２が、仕上材２１と、枠材３の長さ方向に沿って仕上材２１の裏面に連続的に存在する支持体２２とを含むものであるとき、枠材３の下縁材３３と、支持体２２と、仕上材２１とが隙間なく積層された状態であることにより、枠材３の表縁材３２と仕上材２１の表面との間に隙間がなく、これらが線状に当接して強固に固定された壁パネルを得ることができる。
【００２１】
（面材の厚み）
面材の厚みは壁パネルの用途または機能に応じて適宜決定されてよい。通常、面材の厚みは、３０ｍｍ以下、１０ｍｍ以下、８ｍｍ以下、６ｍｍ以下であることが好ましく、１ｍｍ以上、３ｍｍ以上であることが好ましい。本発明において、面材の厚みとは、面材自体の厚み、つまり例えば、面材２に枠材３を固定する際において、面材２を枠材３の凹条に圧入するときに働く押圧力や、枠材３を回動させるときに働く応力などの外力等により圧縮など変形されていない状態での厚みを意味する。面材が仕上材単独で構成されている場合は、仕上材の厚みが面材の厚みになる。面材が仕上材と支持体との積層体の場合は、仕上材の厚みと支持体の厚みとの和が面材の厚みになる。またこの場合、面材の厚みは、壁パネルの用途または機能、あるいは仕上材、支持体各々の材質もしくはサイズ等に応じて適宜決定されてよい。
【００２２】
枠材
枠材３は、所定の断面形状を有する長尺材からなる。所定の断面形状とは、枠材３を、長さ方向Ａの任意の位置で任意の方向、例えば長さ方向Ａに垂直な方向に切断したとき、その断面形状が定まったものであることを意味する。本発明において、枠材３は、断面形状が一定の長尺材からなることが好ましい。断面形状が一定であるとは、枠材３を、長さ方向Ａの任意の位置で任意の方向、例えば長さ方向Ａに垂直な方向に切断したとき、その断面形状が常に同じであることを意味する。枠材３の断面形状には、例えばコの字状、ユの字状、またはエの字状などが含まれる。図２〜６に示す態様によれば、枠材３の断面形状はコの字状またはユの字状である。枠材の材料は、例えば金属であることが好ましい。金属は良好な強度を有し、面材２の表面との良好な係止力を確保することができる。
【００２３】
枠材３は、側端部３１と、当該側端部３１の一端側から延在した表縁部３２と、当該側端部３１の他端側から延在した下縁部３３とを備える。枠材３において、側端部３１と表縁部３２と下縁部３３とは一体的に形成されている。したがって、枠材３は凹条を形成している。枠材３の側端部３１と表縁部３２と下縁部３３とが一体的に形成されて得られる凹条は、例えば図３〜６に示される形状をなす。
【００２４】
枠材３において、下縁部３３は、面材２を表側（上方向、図１の矢印Ｕ方向）に押し上げるためのバネ機構３４を備える。例えば図１、３に示す態様によれば、バネ機構３４による上方向Ｕへの押上げ力Ｆ１は、バネ機構３４の面材２の裏面に押し当てる部分３５と、面材２の裏面との当接部Ｃ１を起点として作用する。バネ機構３４による押上げ力Ｆ１が面材２の裏面に作用することにより、バネ機構３４の面材２を押し当てる部分３５と、面材２の裏面とが連続的に、すなわち線状に、好ましくはこの線が所定の幅をもって当接する。この当接部Ｃ１を起点として、面材２は上方向Ｕに押上げられる。この上方向Ｕの押上げ力Ｆ１は、面材の裏面から表面に向かって伝達され、枠材３の表縁部３２の裏面３２ｂの最下縁３２ｓにより受け止められる。つまり、上方向Ｕの押上げ力Ｆ１により、面材２の表面と、枠材３の表縁部３２の裏面３２ｂの最下縁３２ｓとが連続的に、すなわち線状に、隙間なく当接する。つまり、バネ機構３４による押上げ力Ｆ１が面材２の裏面に作用することにより、面材２は上方向Ｕに力Ｆ１で押上げられ、面材２の表面と枠材３の表縁部３２の裏面３２ｂの最下縁３２ｓとは隙間なく当接される。その結果、面材２と枠材３は強固に固定される。
【００２５】
本発明において、バネ機構３４は、下端部３３と結合した状態で、下端部３３の表側（上側）に設けられている。例えば図３に示す態様によれば、バネ機構３４は、下端部３３の開放端側の所定の位置から側端部３１側に向かって設けられている。バネ機構３４は、下端部３３を延在して下端部３３と一体に形成してもよい。また、バネ機構３４と下端部３３を別々に用意し、これらを結合させて形成してもよい。
【００２６】
本発明においては、バネ機構３４を備える枠材３に面材２を差し込み、圧入することにより、面材２を枠材３の凹条に固定する。
【００２７】
面材２の枠材３への固定は、例えば以下のように行うことができる。その方法を、図１、７を参照しつつ説明する。まず、仕上材を含む板状の面材２、および枠材３それぞれを用意する。次いで、枠材３の当接部Ｃ１に面材２の裏面を沿わせるようにして、面材２でバネ機構３４を押さえながら、枠材３の凹条に挿入し、圧入する。圧入は、例えば、面材２の側面が枠材３の側端部に接するまで行う。圧入後は、バネ機構３４による上方向Ｕの押上げ力Ｆ１が面材２の裏面に作用することにより、バネ機構３４の面材２を押し当てる部分３５と、面材２の裏面とが線状に当接する。面材２は当接部Ｃ１を起点として上方向Ｕに力Ｆ１で押上げられ、当接部Ｃ２に伝達された力Ｆ１により、面材２の表面と枠材３の表縁部３２の裏面３２ｂの最下縁３２ｓとが線状に、隙間なく当接する。これにより、面材２は枠材３の凹条に嵌合し、両者は強固に一体となる。その結果、面材２と枠材３とが隙間なく安定して固定された壁パネル１を容易に製造することができる。
【００２８】
以上のとおり、本発明による壁パネル１は、枠材を特定の形状からなる構造とし、その一部にバネ機構を設けることのみをもって、すなわち、釘、ネジもしくはビス等の留付具、接着剤、または溶接などの結合手段を用いることなく、あるいはシム等の隙間調整具を用いることなく、単純な構成で、つまり壁パネル１の構成部品だけで、面材２の周縁部（側縁部）Ｒが枠材３の凹条で強固に挟み込まれた状態、あるいは、枠材３の凹条が面材２の周縁部に強固に嵌め合わせられた状態を容易に形成することができる。従って、面材２は枠材３から脱落し難くなる。これは、枠材３の表縁部３２の裏面３２ｂの外端辺３２ｓが、面材２の周縁部Ｒを、その表面である縁部Ｒ’から面材２の裏面方向に押し付け、かつ、面材２の周縁部Ｒとは反対側の端部（図示せず）が押圧力から解放された開放端となっているためと考えられる。
【００２９】
面材２の周縁部Ｒが枠材３の凹条で強固に挟み込まれた状態により、面材２の表面は、枠材３の表縁部３２の裏面３２ｂの外端辺３２ｓに押し当てられて、これと連続的に（非断続的に）、つまり線状に当接することが可能となる。その結果、面材２と枠材３とは隙間なく固定される。また、このことは、面材の大きさにかかわらず、壁パネルを任意の位置でカットしても同じ性状の壁パネル片が得られることを意味する。
【００３０】
本発明の好ましい態様によれば、バネ機構３４の面材２を押し当てる部分３５が、表縁部３２の外端縁よりも内側（側端部と反対側の方向）にある。これにより、バネ力の反作用で面材２がバネ機構３４から離れてしまうことを防止することができる。その結果、接着剤や留付具を使用せずに、面材２と枠材３とを一体化することができる。
【００３１】
本発明の好ましい態様によれば、枠材３の下端部３３が、バネ機構３４の外側に支持部３６をさらに備える。これにより、面材２と枠材３とがグラつくことないよう、両者をより安定に、または強固に一体化することが可能となる。支持部３６は、面材２の裏面と当接し、面材２を支持するための部材である。また、支持部３６は、下縁部３３の延在部であり、バネ機構に通ずる部材である。例えば、図２に示す態様によれば、支持部は、下端部３３を側端部３１とは反対方向に延在され、所定の位置で折り返され、さらに面材２の裏面に当接するように延在され、バネ機構３４に連続するように設けられている。バネ機構３４の外側とは、支持部３６がバネ機構３４に対して側端部とは反対側の位置に設けられ、バネ機構に連続しているという意味である。
【００３２】
本発明の好ましい態様によれば、枠材３において、表縁部３２と側端部３１とのなす角αは鋭角である。表縁部３２と側端部３１とのなす角αが鋭角であることにより、バネ機構３４による面材２を表側に押し上げる力Ｆ１が、表縁部３２の裏面全体に分散されることなく、表縁部３２の裏面の外端辺３２ｓのみに集まる。つまり、表縁部３２の裏面の外端辺３２ｓのみで面材２の表面が押圧される。これにより、面材２の表面と枠材３の表縁部３２の裏面の外端辺３２ｓが線状に強固に当接するため、面材２の表面と枠材３の表縁部３２の裏面との間に隙間がさらに生じ難くなる。
【００３３】
用途
本発明による壁パネル１は、柱などの躯体や、間柱、ライトゲージスチール（ＬＧＳ）等のスタッド、またはパネルフレームなどの下地に止着されて用いられる。あるいは、上記の躯体や下地の外側に配置された外装もしくは内装の壁の表面（以下、被施工面ともいう）に止着されて用いられる。
【００３４】
被施工面への壁パネルの止着は、公知の任意の方法を用いて行うことができる。例えば、タッピンねじ、ドリリングねじ、釘やリベットなどの固定具を用いて、壁パネルを躯体や下地に止着する。
【００３５】
また例えば、接着剤を用いて壁パネルを被施工面に止着してもよい。この場合、接着剤を壁パネルの裏面または被施工面、好ましくは全面に塗装し、壁パネルを被施工面に張り合わせて、接着する。また、金具を用いて壁パネルを被施工面に止着してよい。例えば、壁パネルの裏面に形成されるスリットに係止する係止部、および被施工面に固定具を介して固定される固定部を有する金具を用いることができる。金具の係止部を壁パネルの裏面のスリットに係止し、金具の固定部にビス、タッピングビス、アンカーボルトなどの固定具を貫通させて、固定部と被施工面を固定する。被施工面の内側に躯体や下地が配置されている場合は、固定具を躯体や下地に貫通させて、固定部と被施工面を固定してもよい。さらに、接着と固定との二つの手段により、壁パネルを被施工面に止着してもよい。経時的な劣化などで接着力が十分でなくなった場合でも、固定具を用いた固定手段が存在するため、被施工面からの壁パネルの剥落や、剥落に伴う被害を防ぐことができる。あるいは、係止金具や固定金具を壁パネルの枠材に接合し、躯体や下地に別途設けた受け金具にこれら係止金具や固定金具を係着または係止させて、壁パネルを被施工面に止着してもよい。
【符号の説明】
【００３６】
１・・壁パネル、２・・面材、２１・・仕上材、２２・・支持体、３・・枠材、３１・・側端部、３１ｉ・・側端部３１の内面、３２・・表縁部、３２ｂ・・表縁部３２の裏面、３２ｓ・・表縁部３２の裏面３２ｂの最下縁（端辺）、３３・・下縁部、３３ｆ・・下縁部３３の表面、３４・・バネ機構、３５・・バネ機構３４において面材２の裏面に押し当てられる部分、３６・・支持部
【図１】
2018053607.tif 000003
【図２】
2018053607.tif 000004
【図３】
2018053607.tif 000005
【図４】
2018053607.tif 000006
【図５】
2018053607.tif 000007
【図６】
2018053607.tif 000008
【図７】
2018053607.tif 000009